(57)【特許請求の範囲】
【請求項１】
第１のコネクタ（５００）を第２のコネクタ（６００）によってロックするためのロック機構であって、
第１の側と、前記第１の側とは反対の第２の側とを有する環状ハウジング（４０２）と、
前記環状ハウジング（４０２）の側壁（４０６）に形成されたスロット（４１６）に受容され、第１のロック部（４２２）と、第２のロック部（４２４）とを有するロック部材（４０４）とを備え、
前記第１のコネクタ（５００）が前記第１の側から前記環状ハウジング（４０２）に挿入されるとき、前記第１のコネクタ（５００）上の第１の係合部（５０４）は、前記ロック部材（４０４）の前記第１のロック部（４２２）によってロックされ、
前記第２のコネクタ（６００）が前記第２の側から前記環状ハウジング（４０２）に挿入されるとき、前記第２のコネクタ（６００）上の第２の係合部（６０４）は、前記ロック部材（４０４）の前記第２のロック部（４２４）によってロックされるロック機構。
【請求項２】
前記ロック部材は、ロック位置とロック解除位置との間を移動可能に構成され、
前記ロック部材が前記ロック位置にあるとき、前記第１及び第２のロック部は夫々前記第１及び第２の係合部によってロックされ、
前記ロック部材が前記ロック解除位置にあるとき、前記第１及び第２のロック部は夫々前記第１及び第２の係合部から分離される、
請求項１に記載のロック機構。
【請求項３】
前記ロック部材は、ロック位置と第１のロック解除位置と第２のロック解除位置との間を移動可能に構成され、
前記ロック部材が前記ロック位置にあるとき、前記第１及び第２のロック部は夫々前記第１及び第２の係合部によってロックされ、
前記ロック部材が前記第１のロック解除位置にあるとき、前記第１のロック部は、前記第１の係合部から分離され、
前記ロック部材が前記第２のロック解除位置にあるとき、前記第２のロック部は、前記第２の係合部から分離される、
請求項１に記載のロック機構。
【請求項４】
前記ロック部材は、弾性部材によって前記環状ハウジングの前記側壁内に弾性的に保持される、
請求項２又は３に記載のロック機構。
【請求項５】
前記ロック部材に作用する外力が存在しないとき、前記ロック部材は、前記弾性部材の弾力下で前記ロック位置に保持され、
前記ロック部材に作用する外力が存在するとき、前記ロック部材は、前記ロック位置から前記ロック解除位置へ移動することができる、
請求項４に記載のロック機構。
【請求項６】
前記弾性部材は、前記ロック部材と分離するように構成される又は一体的に形成される、
請求項５に記載のロック機構。
【請求項７】
前記第１及び第２のロック部は、各々、フック形状の部材として構成され、
前記第１及び第２の係合部は、各々、柱状突起として構成される、
請求項５に記載のロック機構。
【請求項８】
前記環状ハウジングは、前記第１及び第２の側に夫々第１のノッチ及び第２のノッチを備えるように形成され、
前記第１及び第２の係合部は、夫々、前記第１及び第２のノッチ内に受容されるように構成され、
前記ロック部材が前記ロック位置にあるとき、前記第１及び第２のロック部は、夫々、前記第１及び第２のノッチ内に受容される、
請求項７に記載のロック機構。
【請求項９】
前記第１及び第２のロック部は、各々、前記第１又は第２のロック部と係合するように前記第１又は第２の係合部を案内するために前記第１及び第２のロック部の各々の上にガイドスロープが形成される、
請求項５に記載のロック機構。
【請求項１０】
前記ロック部材には解除孔が形成され、前記環状ハウジングには夫々の解除溝が形成され、
前記ロック部材は、前記解除孔及び前記解除溝から挿入された工具によって前記ロック位置から前記ロック解除位置に移動することができる、
請求項５に記載のロック機構。
【請求項１１】
前記ロック部材は単一部品として構成される、
請求項５に記載のロック機構。
【請求項１２】
前記ロック部材は、２つの別部品を備えるように構成され、
前記ロック部材が前記ロック位置にあるとき、前記２つの別部品は前記環状ハウジングと係合される、
請求項５に記載のロック機構。
【請求項１３】
前記環状ハウジングの前記内壁上に設けられ、前記第１のコネクタと前記第２のコネクタと前記環状ハウジングの前記内壁との間の接触面を封止する封止ガスケットを更に備える、
請求項１に記載のロック機構。
【請求項１４】
第１のコネクタであって、前記第１のコネクタのハウジング上に形成された第１の係合部を有する当該第１のコネクタと、
第２のコネクタであって、前記第２のコネクタのハウジング上に形成された第２の係合部を有する当該第２のコネクタと、
請求項１〜１３のいずれか一項に記載のロック機構を備えるコネクタアセンブリ。
【発明の詳細な説明】
【関連出願の相互参照】
【０００１】
本出願は、中国知識産権局において２０１３年１月２３日に出願された中国特許出願第２０１３１００２５３６５．５号の利益を主張するものであり、その全開示は、参照によって本明細書に援用される。
【技術分野】
【０００２】
本発明は、ロック機構に関し、特に、ヘビーデューティプラグコネクタ及びヘビーデューティソケットコネクタに適用されるロック機構に関する。
【背景技術】
【０００３】
従来の技術では、ヘビーデューティプラグコネクタとヘビーデューティソケットコネクタをロックするためのロック機構は、一般的に、ヘビーデューティソケットコネクタのハウジングに旋回可能に接続される回転アームと、回転アームの両端に形成されたロックジョーとを備えるレベル型のロック部材として構成される。プラグコネクタがソケットコネクタに嵌合されると、作業者は、ロック機構の回転アームを把持して回転アームを上方に回転させ、プラグコネクタのハウジング上に形成された突起がロックジョーによって捕捉され、それによって、プラグコネクタがソケットコネクタにロックされる。
【０００４】
従来のロック機構は、プラグコネクタ又はソケットコネクタに旋回可能に接続され、そこから単独で分離することができない。
【０００５】
結論として、従来の技術における従来のロック機構は、以下の技術的問題を有する。
１．同一のシリーズのロック機構は、同一のシリーズのプラグコネクタ‐ソケットコネクタアセンブリにしか接続できず、異なるシリーズの製品は嵌合できず、従って、従来の技術におけるロック機構は、汎用性、互換性、相互嵌合、置換性及び適合性を欠き、顧客の利用に不便を生じ、在庫とコストを増加させる。
２．異なるロック機構は、ロック機構原理が異なり、ロック力が異なり、信頼性が異なる。従って、これらは、顧客に対して不信感を招き、信頼性を低下させる。
３．接続力は、作業者が手で引くことによって生じ、それにより、作業者の労働集約度及び誤操作のリスクが上昇する。
４．上述のロック機構は全て、プラグコネクタ又はソケットコネクタに旋回可能に接続され、そこから単独で分離することができない。従って、これにより、顧客のメンテナンスに不便を生じる。場合によっては、顧客は、再使用可能なプラグコネクタ及びソケットコネクタはとっておき、ロック機構のみを廃棄するのではなく、全ての製品を廃棄することを決定しなければならない。
５．ＩＰ６５の防水レベルを保証する機能に関して、前記ロック機構は、封止が非常に単純であり、信頼性が望ましくない。
【発明の概要】
【発明が解決しようとする課題】
【０００６】
本発明は、上述の欠点の少なくとも一部を克服又は軽減するためになされたものである。
【課題を解決するための手段】
【０００７】
本発明の一態様によれば、第１のコネクタを第２のコネクタによってロックするためのロック機構であって、第１の側と、第１の側とは反対の第２の側とを有する環状ハウジングと、環状ハウジングの側壁に形成されたスロットに受容され、第１のロック部と第２のロック部とを有するロック部材とを備え、第１のコネクタが第１の側から環状ハウジングに挿入されるとき、第１のコネクタ上の第１の係合部がロック部材の第１のロック部によってロックされ、第２のコネクタが第２の側から環状ハウジングに挿入されるとき、第２のコネクタ上の第２の係合部がロック部材の第２のロック部によってロックされるロック機構が提供される。
【図面の簡単な説明】
【０００８】
本発明の上記及びその他の特徴は、添付の図面を参照して、本発明の例示的実施形態を詳細に記載することによってより明らかとなる。
【０００９】
【図１】本発明のロック機構の第１の実施形態を概略的に示す。
【図２】図１に示すロック機構の実質的にＮ字形のロックブラケットを概略的に示す。
【図３】図１のロック機構がプラグコネクタ及びソケットコネクタと共に組み立てられた図を概略的に示す。
【図４】図１に示すロック機構の実質的にＭ又はＷ字形のロックブラケットを概略的に示す。
【図５】本発明のロック機構の第２の実施形態を概略的に示す。
【図６】図５に示すロック機構のロックブラケットを概略的に示す。
【図７】本発明のロック機構の第３の実施形態のロックブラケットを概略的に示す。
【図８】本発明のロック機構の第４の実施形態のロックブラケットを概略的に示す。
【図９】本発明のロック機構の第５の実施形態のロックブラケットを概略的に示す。
【００１０】
異なる図面における同様の特徴は、同様の参照番号によって示される。
【発明を実施するための形態】
【００１１】
本開示の例示的実施形態は、添付の図面を参照して以下に詳細に記載され、同様の参照番号は同様の部材を指す。しかしながら、本開示は、様々な形態で実施することができ、本明細書に示す実施形態に限定されるものと解釈されるべきではなく、むしろ、これらの実施形態は、本開示が十分且つ完全なものになり、当業者に本開示の概念が十分に伝わるように提供されるものである。
【００１２】
実施形態の以下の詳細な記載は、記載の一部を形成する図面を参照して提示される。図面によって特定の実施形態が例示的に示される。本発明はこれらの実施形態において実施される。図示の実施形態は、本発明に係る全ての実施形態を余すところなく説明する意図はない。その他の実施形態が用いられてよく、構造的又は論理的な変更は本発明の範囲から逸脱することなく行われてよいと理解されてよい。図面に関して、「左」、「右」、「底」、「前」、「後」、「下方」及び「上方」等の方向に関する用語は、記載された図面の向きを参照して用いられている。本発明の実施形態のアセンブリは、複数の向き及び方法によって提示され、方向に関するそれらの用語は、限定するためではなく説明のために用いられるものである。従って、以下の特定の実施形態は、本発明を限定する意図はなく、本発明の範囲は、添付の特許請求の範囲によって規定される。
【００１３】
図１は本発明のロック機構の第１の実施形態を概略的に示し、図２は、図１に示すロック機構のロックブラケットを概略的に示す。ロック機構４００は、図１及び図２と併せて以下に詳細に記載される。
【００１４】
ロック機構４００は、ロックブラケット受容ハウジング４０２と、ロックブラケット受容ハウジング４０２内に受容されるロックブラケット４０４とを備える。
【００１５】
具体的には、環状のロックブラケット受容ハウジング４０２は、側壁４０６と、側壁４０６の上端面４０８から内方に設けられた上部ノッチ４１０、及び上端面４０８とは反対側の側壁４０６の下端面４１２から内方に設けられた下部ノッチ４１４と、側壁４０６の内側に形成され、上部ノッチ４１０及び下部ノッチ４１２と連通する受容キャビティ４１６とを有する。
【００１６】
ロックブラケット４０４は実質的にＮ字形状であり、金属又はプラスチックから一体的に形成され、ブラケット本体４１８と、ブラケット本体４１８の両端から夫々延出する弾性のブラケット保持アーム４２０と、ブラケット本体４１８から上方に延出する実質的にフック形状の上部ブラケットロックアーム４２２と、下方に延出する実質的にフック形状の下部ブラケットロックアーム４２４とを備え、ブラケット保持アーム４２０は、受容キャビティ４１６内に受容され、受容キャビティ４１６を形成する壁面に対して圧縮当接し、上部ブラケットロックアーム４２２及び下部ブラケットロックアーム４２４は夫々それらの先端に傾斜した作用面を形成し、上部ブラケットロックアーム４２２は、上部ノッチ４１０内に位置し、下部ブラケットロックアーム４２４は下部ノッチ４１２内に位置する。
【００１７】
図３を参照すると、図３は、図１のロック機構がプラグコネクタ５００及びソケットコネクタ６００と共に組み立てられた図を示す。具体的には、プラグコネクタ５００はプラグハウジング５０２を備え、プラグハウジング５０２の両側面の夫々から２つのリベット５０４（紙面内方の側面上の２つのリベットは図示せず）が突出している。ソケットコネクタ６００は、ソケットハウジング６０２と、ソケットハウジング６０２の両側面の夫々から突出する２つのリベット６０４（紙面内方の側面上の２つのリベットは図示せず）とを備える。
【００１８】
プラグコネクタ５００がソケットコネクタ６００に接続されると、まず、ロック機構４００がソケットコネクタ６００に接続され、次に、プラグコネクタ５００が、ソケットコネクタ６００上に既にロックされたロック機構４００に接続される。
【００１９】
具体的には、ユーザは通常ロック機構４００を保持し、ロック機構４００の側壁４０６の内側面が、ソケットハウジング６０２の開口に隣接するソケットコネクタ６００のソケットハウジング６０２の外壁面に接触するように、支持表面（例えばテーブル表面）に予め載置されたソケットコネクタ６００と整列させ、ユーザは、ロック機構４００のロックブラケット受容ハウジング４０２が、ソケットコネクタ６００のソケットハウジング６０２の周囲に嵌合されるように下方への力を加え、ユーザが下方に操作し続けると、ロック機構４００における下部ブラケットロックアーム４２４は夫々ソケットハウジング６０２上のリベット６０４に当接する。リベット６０４の作用下で、ブラケット本体４１８は、リベット６０４が下部ノッチ４１４に進入するように、ブラケット保持アーム４２０を弾性的に変形させるように左側に移動し、次に、リベット６０４が夫々下部ノッチ４１４に完全に入ると、ブラケット保持アーム４２０は、下部ブラケットロックアーム４２４がリベット６０４をロックするように、ブラケット本体４１８を右側に移動させるように弾性的に元の状態に戻る。
【００２０】
次に、ユーザは、プラグコネクタ５００を、その開口端が支持表面（例えばテーブル表面）上に載置され且つロック機構４００が既に取り付けられたソケットコネクタ６００の開口端と整列するように保持し、次に、プラグコネクタ５００を下方に移動させる。このようにして、プラグハウジング５０２の２つのリベット５０４が夫々上部ブラケットロックアーム４２２に作用する。ブラケット本体４１８は、リベット５０４が、対応する上部ノッチ４１０に夫々進入するように、ブラケット保持アーム４２０を弾性的に変形するように右側に移動し、次に、ブラケット保持アーム４２０は、上部ブラケットロックアーム４２２がリベット５０４をロックするように、ブラケット本体４１８を左側に押すように変形から回復する。
【００２１】
より具体的には、リベット５０４が上部ブラケットロックアーム４２２に夫々作用すると、上部ブラケットロックアーム４２２は受容キャビティ４１６内に少なくとも部分的に受容され、且つ、下部ブラケットロックアーム４２４はリベット６０４をロックしたままであるように、又は、リベット６０４が下部ブラケットロックアーム４２４に夫々作用すると、下部ブラケットロックアーム４２４は受容キャビティ４１６内に少なくとも部分的に受容され、且つ、上部ブラケットロックアーム４２２はリベット５０４をロックしたままであるように、上部ブラケットロックアーム４２２と下部ブラケットロックアーム４２４はジグザグに配置される。
【００２２】
図に示すように、ロックブラケット４０４は解除孔４２６を更に備えてもよく、ロックブラケット受容ハウジング４０２は解除孔４２６に対応する解除溝４２８を備える。解除溝４２８は、解除部材が解除溝４２８から解除孔４２６に挿入されてロックブラケット４０４を移動させると、解除部材がロックブラケット４０４をロック解除位置に固定することができるように、構成される。解除溝４２８は、Π、Ｈ、Ｔ、┌、┐、├、┤、┬、又は、┴の形状でよく、すなわち、解除溝４２８は、少なくとも実質的にＬ字形又は逆Ｌ字形の溝部を備える。言い換えれば、解除溝４２８は少なくとも解除用の水平溝部と配置用の縦溝部とを備える。従って、解除孔４２６と嵌合する解除部材は、解除溝４２８から解除孔４２６に挿入され、次に、ロックブラケット４０４を、水平溝部内で左又は右に所定の距離だけ移動させ、次に、縦溝部内に配置されるように、縦溝部内で上方又は下方に移動させてもよい。上述の「所定の距離」は、移動しない場合には、ロック機構４００は、プラグコネクタ５００とソケットコネクタ６００をロックした状態にあり、この所定の距離移動した後は、プラグコネクタ５００（又はソケットコネクタ６００）を取り外すことができるように、ロック機構４００の上部ブラケットロックアーム４２２（又は下部ブラケットロックアーム４２４）がリベット５０４（又はリベット６０４）から外れることができることを意味すると理解されてよい。
【００２３】
理解されるように、ロックブラケット４０４が解除孔４２６を備える一方で、ロックブラケット受容ハウジング４０２に解除溝４２８を設けることは必須ではない。その代わりに、ロックブラケット受容ハウジング４０２の上部ノッチ４１０又は下部ノッチ４１４に適応するような形状の任意の解除部材、例えばＵＳＢが、プラグコネクタ５００及びソケットコネクタ６００の一方を取り外すためにロックブラケット４０４を水平に移動させるように、特定のノッチに挿入されてもよい。
【００２４】
好ましくは、ロック機構４００は、ガスケット（図示せず）を更に備えてもよい。ガスケットは、ロックブラケット受容ハウジング４０２の側壁４０６の内側に配置され、プラグコネクタ５００及びソケットコネクタ６００を側壁４０６に対して夫々封止する。任意ではあるが、ロックブラケット４０４は、図４に示すように、Ｍ又はＷ字形としてもよい。
【００２５】
図５は、本発明のロック機構の第２の実施形態を概略的に示し、図６は、図５に示すロック機構のロックブラケットを概略的に示す。図５及び図６と併せて、ロック機構７００が以下に詳細に記載される。
【００２６】
ロック機構７００は、ロックブラケット受容ハウジング７０２と、上部ロックブラケット７０４と、下部ロックブラケット７０６とを備える。具体的には、ロックブラケット受容ハウジング７０２は環状であり、側壁７０８を有する。側壁７０８の上端面７１０から内方には、上部ノッチ７１２が設けられ、側壁７０８の下端面７１４から内方には、下部ノッチ７１６が設けられている。側壁７０８の内側には、上部ノッチ７１２と連通する上部受容キャビティ７１８と、下部ノッチ７１６と連通する下部受容キャビティ７２０とが形成されている。
【００２７】
上部ロックブラケット７０４は、上部ブラケット本体７２２と、上部ブラケット本体７２２から外方に延出する実質的にフック形状の上部ブラケットロックアーム７２４とを有し、上部受容キャビティ７１８内には弾性部材（図示せず、例えば、ばね）が受容され、弾性部材の一端は、弾性部材の他端が上部受容キャビティ７１８を形成する壁面に押圧されるように、上部ロックブラケット７０４によって押圧されてよく、上部ブラケットロックアーム７２４は、上部ノッチ７１２内に夫々位置する。
【００２８】
下部ロックブラケット７０６は、下部ブラケット本体７２６と、下部ブラケット本体７２６から外方に延出する実質的にフック形状の下部ブラケットロックアーム７２８とを有し、下部受容キャビティ７２０内には、他の一つ弾性部材（図示せず、例えば、ばね）が受容され、弾性部材の一端は、弾性部材の他端が下部受容キャビティ７２０を形成する壁面に押圧されるように、下部ロックブラケット７０６によって押圧されてよく、下部ブラケットロックアーム７２８は下部ノッチ７１６内に夫々位置する。
【００２９】
図３に示すプラグコネクタ５００及びソケットコネクタ６００と併せて理解されるように、プラグコネクタ５００が、ロック機構７００を介してソケットコネクタ６００によってロックされると、まず、ロック機構７００がソケットコネクタ６００によってロックされ、次に、プラグコネクタ５００がソケットコネクタ７００上にロックされる。
【００３０】
具体的には、ユーザは通常ロック機構７００を保持し、ロック機構７００の側壁７０８の内側面がソケットハウジング６０２の開口に隣接するソケットコネクタ６００のソケットハウジング６０２の外壁面に接触するように、支持表面（例えばテーブル表面）に予め載置されたソケットコネクタ６００と整列させ、ユーザは、ロック機構７００のロックブラケット受容ハウジング７０２がソケットコネクタ６００のソケットハウジング６０２の周囲に嵌合されるように、下方への力を加え、ユーザが下方に操作し続けると、下部ロックブラケット７０６の下部ブラケットロックアーム７２８は夫々ソケットハウジング６０２上のリベット６０４に当接する。リベット６０４の作用下で、下部ブラケット本体７２６は、リベット６０４が下部ノッチ７１６に夫々進入するように、下部受容キャビティ７２０内に受容された弾性部材を弾性的に変形させるように左側に移動し、次に、リベット６０４が夫々下部ノッチ７１６に完全に入ると、弾性部材は、下部ブラケットロックアーム７２８がリベット６０４を夫々ロックするように、下部ブラケット本体７２６を右側に移動させるように弾性的に元の状態に戻る。この手順では、上部ロックブラケット７０４は静止したままである。
【００３１】
次に、ユーザは、プラグコネクタ５００を、その開口端が支持表面（例えばテーブル表面）上に載置され且つロック機構７００が既に取り付けられたソケットコネクタ６００の開口端と整列するように保持し、次に、プラグコネクタ５００を下方に移動させる。このようにして、プラグハウジング５０２の２つのリベット５０４が、夫々、上部ロックブラケット７０４の上部ブラケットロックアーム７２４に作用する。上部ブラケット本体７２２は、リベット５０４が夫々対応する上部ノッチ７１２に進入するように、上部受容キャビティ７１８内に受容された弾性部材を弾性的に変形するように右側に移動し、次に、弾性部材は、上部ブラケットロックアーム７２４がリベット５０４を夫々ロックするように、上部ブラケット本体７２２を左側に押すように変形から回復する。この手順では、下部ロックブラケット７０６は静止したままである。
【００３２】
先の第１の実施形態とは異なり、この実施形態では、上部ロックブラケット７０４が下部ロックブラケット７０６と一体ではない、すなわち、上部ロックブラケット７０４と下部ロックブラケット７０６が互いに連結していないので、上部ブラケットロックアーム７２４と下部ブラケットロックアーム７２８は、必ずしもジグザグに配置されない。
【００３３】
この第２の実施形態では、第１の実施形態のように、上部ロックブラケット７０４及び下部ロックブラケット７０６は夫々解除孔を備える一方、ロックブラケット受容ハウジング７０２には、対応する解除溝が設けられていることが分かる。同様に、上部ロックブラケット７０４又は下部ロックブラケット７０６を解除するために、ロックブラケット受容ハウジング７０２の上部ノッチ７１２又は下部ノッチ７１６に適応するような形状の任意の解除部材を使用することができる。本明細書では詳細には記載されない。更に、ロック機構７００は、ガスケットを更に備えてもよい。ガスケットは、プラグコネクタ５００と側壁７０８との間の封止及びソケットコネクタ６００と側壁７０８との間の封止を実現するために、ロックブラケット受容ハウジング７０２の側壁７０８の内側に配置される。
【００３４】
図７は、本発明のロック機構の第３の実施形態のロックブラケットを概略的に示す。
【００３５】
この実施形態では、ロック機構のロックブラケット受容ハウジングは、先に述べた第１の実施形態及び第２の実施形態におけるロックブラケット受容ハウジングと同一であり、従ってここでは記載しない。この実施形態は、以下の通り、第１の実施形態とは異なる。プラグコネクタ５００及びソケットコネクタ６００の夫々が２つのリベット５０４，６０４を備える図３に示す場合に関して、ロック機構のロックブラケット８０２は、上部ブラケットロックアーム８０４を２つと、下部ブラケットロックアーム８０６を２つだけ有し、その他の構造は実質的に同一であり、例えば、ロックブラケット８０２の両端の夫々から、弾性のブラケット保持アーム８０８が延出している。この実施形態は、ロック手順及び協働手順に関して、第１の実施形態と実質的に同一である。
【００３６】
或いは、より単純な構造のロックブラケット８０２に適応させるために、ロックブラケット受容ハウジングは、更に、上部ノッチを２つと、下部ノッチを２つだけ有する形態に構成されてもよい。
【００３７】
図８は、本発明のロック機構の第４の実施形態のロックブラケットを概略的に示す。この実施形態では、ロック機構のロックブラケット受容ハウジングは、先の第１、第２、及び第３の実施形態におけるロックブラケット受容ハウジングと同一であり、従ってここでは記載されない。
【００３８】
この実施形態は、以下の通り、第２の実施形態とは異なる。プラグコネクタ５００及びソケットコネクタ６００の各々が２つのリベット５０４，６０４を備える図３に示す場合に関して、ロック機構の上部ロックブラケット９０２は上部ブラケットロックアーム９０４を２つだけ有し、下部ロックブラケット９０６は下部ブラケットロックアーム９０８を２つだけ有し、その他の構造は実質的に同一であり、例えば、上部ロックブラケット９０４に弾性回復力を提供するために、上部受容キャビティ内には弾性部材が受容され、下部ロックブラケット９０６に弾性回復力を提供するために、下部受容キャビティ内には他の弾性部材が受容される。２つの弾性部材は両方ともばねでよい。この実施形態は、ロック手順及び協働手順に関して、第２の実施形態と実質的に同一である。
【００３９】
或いは、より単純な構造の上部ロックブラケット９０２及び下部ロックブラケット９０６に適応させるために、ロックブラケット受容ハウジングは、更に、上部ノッチを２つと、下部ノッチを２つだけ有する形態に構成されてもよい。
【００４０】
図９は、本発明のロック機構の第５の実施形態のロックブラケットを概略的に示す。
【００４１】
図９に示すように、ロックブラケット１０４は、フック形状の上部ブラケットロックアーム１２２と、フック形状の下部ブラケットロックアーム１２４とを備える。上部ブラケットロックアーム１２２及び下部ブラケットロックアーム１２４のフック形状の端部は、例えば、ロックブラケット１０４の同じ側を向くように配置される。上部ブラケットロックアーム１２２及び下部ブラケットロックアーム１２４のフック形状の端部は、図９に示すように、ロックブラケット１０４の左側を向くように配置されている。図９の構成により、上部ブラケットロックアーム１２２及び下部ブラケットロックアーム１２４は、プラグコネクタ５００及びソケットコネクタ６００のリベット５０４，６０４から同時に解除されることができる。
【００４２】
当業者は、上記実施形態が全て、特定のプラグコネクタ５００及びソケットコネクタ６００に基づいて記載されていると理解してよい。実際、プラグコネクタ５００及びソケットコネクタ６００は、その他の変形形態としてよい。例えば、プラグコネクタ５００のリベット５０４は、他の相反する側面に設けられる一方、ソケットコネクタ６００のリベット６０４の位置は変化しない。この場合も同様に、例えば、プラグコネクタ５００のリベット５０４の数は、ソケットコネクタ６００上のリベット６０４の数とは異なる。或いは、プラグコネクタ５００やソケットコネクタ６００上のリベットは、その他の突出嵌合部に置き換えられてもよい。本発明の本質によれば、リベット又は突出嵌合部の位置及び数が分かっていれば、対応するロック機構が設計されてよい。
【００４３】
上記実施形態では、幾つかのロックブラケットは弾性回復力を提供するためにブラケット保持アームを有し、また幾つかのロックブラケットは、上記ブラケット保持アームの代わりに、受容キャビティ内に更なる弾性部材を提供する必要がある。上記ブラケット保持アームは全て、更なる弾性部材に置き換えてよいと理解されてよい。
【００４４】
ロック部材受容ハウジング内に配置されることができ、リベット又は突出嵌合部を解除可能にロックすることができるロック部材は上記ロックブラケットに限定されず、多くの現行のその他の部材が上記機能を達成することができると理解される。例えば、車のドアのロック構造に似た構造が採用されてよい。
【００４５】
また、ロックブラケット受容ハウジングの上部ノッチ及び下部ノッチの数及び位置は、プラグコネクタ及びソケットコネクタ上のリベットの数及び位置に従って、対応するように設定されてよいと理解される。上記幾つかの実施形態におけるロックブラケット受容ハウジング上に設けられた複数の上部ノッチ及び下部ノッチは、より良い汎用性を提供することにおいて有利である。
【００４６】
本発明の技術的な課題解決法は、以下の技術的効果を実現する。
１．本発明に開示されたロック機構は単純に動作し、迅速な接続を実現することができる。
２．本発明に開示されたロック機構は、プラグコネクタ及びソケットコネクタから都合よく分離することができ、顧客の使用、メンテナンス、及びサービスを容易にする。
３．ロック機構が損傷すると、ロック機構のみを取り換えるだけでよく、実質的に人件費及び材料費を節約する。
４．本発明に開示されたロック機構は、現行の様々なプラグコネクタ及びソケットコネクタに対応することができる。
５．本発明に開示されたロック機構はロック解除するのに特別な工具を必要とし、予期せぬロック解除を防止することができる。
【００４７】
当業者には、上記実施形態は、例示であって、制限することを意図しないと理解されるだろう。例えば、上記実施形態には、当業者によって多くの変更がなされてよく、異なる実施形態に記載された様々な特徴は、構成又は原理において矛盾することなく、互いに自由に組み合わせてよいので、本発明の技術的問題を克服しながら、より多くの種類のロック機構を実現することができる。
【００４８】
幾つかの例示的な実施形態が図示されて記載されたが、請求項及びその均等物において範囲が規定された本開示の原理及び精神から逸脱することなく、これらの実施形態において様々な変化又は変更がなされてよいと当業者によって理解されるだろう。
【００４９】
本明細書で使用しているように、単数形で記載され且つ「１つの（ａ）」又は「１つの（ａｎ）」という用語で開始される部材は、複数の部材又はステップを排除しないものと理解されるべきであり、排除される場合は明示的に述べられている。更に、本発明の「一実施形態（ｏｎｅ  ｅｍｂｏｄｉｍｅｎｔ）」と言及した場合、記載された特徴も含む更なる実施形態の存在を排除するものと解釈されることを意図していない。更に、反対に明示的に述べられない限り、特定の特性を有する１つの部材又は複数の部材を「備える（ｃｏｍｐｒｉｓｉｎｇ）」又は「有する（ｈａｖｉｎｇ）」実施形態は、その特性を有しない更なる当該部材を含んでよい。
【図１】
0006270874.tif 000002
【図２】
0006270874.tif 000003
【図３】
0006270874.tif 000004
【図４】
0006270874.tif 000005
【図５】
0006270874.tif 000006
【図６】
0006270874.tif 000007
【図７】
0006270874.tif 000008
【図８】
0006270874.tif 000009
【図９】
0006270874.tif 000010